(57)【要約】【課題】購買者毎にきめ細かいサービスを提供でき、既存のインターネットショップに容易に適用することができ、顧客満足度の高いインターネットショップ用のシステムを提供すること。【解決手段】電子商取引に使用されるインターネットショッピングサイトにおまけ機能を付加するためのシステムであって、おまけ情報記憶部、おまけ選択基準情報記憶部、おまけ要求受信部、商品等情報受信部、購買者属性情報受信部、購買者購買履歴情報受信部、おまけ情報取得部、およびおまけ情報送信部を有するおまけ機能付加サーバを備えたおまけ機能付加システム。【選択図】図１
2012073807.tif 000002
【特許請求の範囲】
【請求項１】
おまけ機能付加サーバと、購買者が操作する購買者端末と、インターネットショップ用サーバとがネットワークを通じて接続されたおまけ機能付加システムであって、
前記おまけ機能付加サーバが、
購買者が購入する商品やサービス（商品等）に付随して提供されるおまけの情報を記憶するためのおまけ情報記憶部と、
前記購買者が購入する商品等に付随して提供されるおまけが、前記商品等に対して適正であるかどうかを選択するための基準に関する情報を記憶するためのおまけ選択基準情報記憶部と、
前記インターネットショップ用サーバから送信されたおまけ要求を受信するためのおまけ要求受信部と、
前記インターネットショップ用サーバから送信された商品等情報を受信するための商品等情報受信部と、
前記インターネットショップ用サーバから送信された購買者属性情報を受信するための購買者属性情報受信部と、
前記インターネットショップ用サーバから送信された前記購買者購買履歴情報を受信するための購買者購買履歴情報受信部と、
前記おまけ要求受信部に受信されたおまけ要求、商品等情報受信部に受信された商品等情報、購買者属性情報受信部に受信された購買者属性情報および前記購買者購買履歴情報受信部に受信された購買者購買履歴情報に基づいておまけ情報を取得するためのおまけ情報取得部と、
前記おまけ情報取得部が取得したおまけ情報をインターネットショップ用サーバに送信するためのおまけ情報送信部と、
を備え、
購買者が操作する購買者端末が、
前記購買者からの入力を受け付けるための入力受付部と、
前記入力受付部が受け付けた入力に基づいて商品やサービスの情報である商品等情報を取得する要求である商品等情報取得要求をインターネットショップ用サーバに送信するための商品等情報取得要求送信部と、
前記インターネットショップ用サーバから商品等情報を受信するための商品等情報受信部と、
前記インターネットショップ用サーバからおまけ情報を受信するためのおまけ情報受信部と、
前記購買者により特定された商品等の要求をインターネットショップ用サーバに送信するための商品等要求送信部と、
前記商品等の要求に伴い決定されたおまけの要求をインターネットショップ用サーバに送信するためのおまけ要求送信部と、
前記購買者が購入した商品等および商品等に付随するおまけの情報を表示するための情報出力部と、
を備え、
前記インターネットショップ用サーバが、
前記購買者の属性である購買者属性情報、購買者の過去の購買履歴についての購買者購買履歴情報、商品等情報および前記おまけ機能付加サーバから得られたおまけ情報を記憶するための情報記憶部と、
前記購買者が操作する購買者端末から送信された商品等情報取得要求を受信するための商品等情報取得要求受信部と、
前記購買者端末からの商品等情報取得要求に応じて前記情報記憶部から購買者に応じた商品等情報、購買者属性情報および購買者購買履歴情報を取得するための商品等情報取得部と、
前記商品等情報を前記おまけ機能付加サーバに対して送信するための商品等情報送信部と、
前記購買者属性情報を前記おまけ機能付加サーバに対して送信するための購買者属性情報送信部と、
前記購買者購買履歴情報を前記おまけ機能付加サーバに対して送信するための購買者購買履歴情報送信部と、
前記おまけ要求を前記おまけ機能付加サーバに対して送信するためのおまけ要求送信部と、
前記おまけ機能付加サーバからのおまけ情報を受信するためのおまけ情報受信部と、
前記商品等情報を購買者端末２００に送信するための商品等情報送信部と、
前記おまけ情報を購買者端末２００に送信するためのおまけ情報送信部と、
前記商品等情報およびおまけ情報を出力するためのインターネットショップ情報出力部と、
を備えることを特徴とする、おまけ機能付加システム。
【請求項２】
購買者が操作する購買者端末が、インターネットショップ用サーバに対してインターネットショッピング用のＷｅｂページを要求するステップと、
前記インターネットショップ用サーバが、前記購買者端末からの要求を受信し、要求に対応するインターネットショッピング用のＷｅｂページを前記購買者端末に送信するステップと、
前記購買者端末が、インターネットショップ用サーバからインターネットショッピング用のＷｅｂページを受信して、前記購買者端末に実装されている表示装置を通じて要求に対応するインターネットショッピング用のＷｅｂページを表示するステップと、
前記購買者端末が、インターネットショッピング用のＷｅｂページに表示された複数の商品等から実際に購入する商品等の識別番号をインターネットショップ用サーバに送信するステップと、
前記インターネットショップ用サーバが、前記購買者端末からの商品等の識別番号を受信するステップと、
前記インターネットショップ用サーバが、おまけ機能付加サーバに対して、おまけ要求、商品等の識別番号により特定される商品等情報、購買者属性情報、購買者購買履歴情報および購買者識別番号を送信するステップと、
前記おまけ機能付加サーバが、前記インターネットショップ用サーバからのおまけ要求、商品等情報、購買者属性情報、購買者購買履歴情報および購買者識別番号を受信するステップと、
前記おまけ機能付加サーバが、受信した商品等情報、購買者属性情報、購買者購買履歴情報および購買者識別番号から、商品等に付随して提供するおまけ情報を取得するステップと、
前記おまけ機能付加サーバが、取得したおまけ情報をインターネットショップ用サーバに送信するステップと、
前記インターネットショップ用サーバが、取得したおまけ情報を前記購買者端末に送信するステップと、
前記購買者端末が、インターネットショップ用サーバからおまけ情報および商品等情報を受信するステップと、
前記購買者端末が、おまけ情報および商品等情報を前記購買者端末に実装された表示装置に表示するステップと、
を含む、請求項１に記載のおまけ機能付加システムに使用されるおまけ機能付加方法。
【請求項３】
前記おまけ機能付加サーバが受信した商品等情報、購買者属性情報、購買者購買履歴情報および購買者識別番号から、商品等に付随して提供するおまけ情報を取得するステップが、
前記おまけ機能付加サーバがインターネットショップ用サーバから受信した商品等情報に基づいて、前記商品等情報に対応する第一のおまけ情報を取得するステップと、
前記第一のおまけ情報から競合情報により商品等と組み合わせることが否定されるおまけを除外するステップと、
前記第一のおまけ情報から購買者属性に適合しないおまけを除外するステップと、
前記第一のおまけ情報から購買者購買履歴情報に適合しないおまけを除外するステップと、
前記第一のおまけ情報からおまけ用割引額を超えるおまけを除外するステップと、
前記第一のおまけ情報から在庫がないおまけを除外するステップと、
を含む、請求項２に記載のおまけ機能付加方法。
【請求項４】
購買者が購入する商品やサービスに付随して提供されるおまけの情報を記憶するためのおまけ情報記憶部と、
前記購買者が購入する商品やサービスに付随して提供されるおまけが、前記商品やサービスに対して適正であるかどうかを選択するための基準に関する情報を記憶するためのおまけ選択基準情報記憶部と、
インターネットショップ用サーバから送信されたおまけ要求を受信するためのおまけ要求受信部と、
前記インターネットショップ用サーバから送信された商品等情報を受信するための商品等情報受信部と、
前記インターネットショップ用サーバから送信された購買者属性情報を受信するための購買者属性情報受信部と、
前記インターネットショップ用サーバから送信された前記購買者購買履歴情報を受信するための購買者購買履歴情報受信部と、
前記おまけ要求受信部に受信されたおまけ要求、商品等情報受信部に受信された商品等情報、購買者属性情報受信部に受信された購買者属性情報および前記購買者購買履歴情報受信部に受信された購買者購買履歴情報に基づいておまけ情報を取得するためのおまけ情報取得部と、
前記おまけ情報取得部が取得したおまけ情報をインターネットショップ用サーバに送信するためのおまけ情報送信部と、
を備えた、請求項１に記載のおまけ機能付加システムに使用される、おまけ機能付加装置。
【請求項５】
請求項２または３に記載のおまけ機能付加方法に使用される、請求項４に記載のおまけ機能付加装置。
【発明の詳細な説明】
【技術分野】
【０００１】
本発明は、おまけ機能付加システムに関するものであり、さらに詳しくはインターネットショップ等における電子商取引の際におまけを提供するおまけ機能付加システムに関する。
【背景技術】
【０００２】
近年のインターネットの普及に伴いインターネットショップ等を通じた電子商取引額の規模は年々増大しつつある。この電子商取引においては、購買者が自己のパーソナルコンピュータ、携帯電話、携帯情報端末等を用いてブラウザから商品やサービスを申し込み、代金決済はクレジットカードにて行うことが一般的である。
この電子商取引に伴い、購買者が購入した商品等の情報の提示と共に、さらなる商品等の追加購入を促すレコメンドが行われる場合がある。
具体的には、書籍を購入した場合、その書籍を購入した購買者がどの様な書籍を追加購入したか等の情報が購買者のブラウザに表示される場合等である。
この様なレコメンド装置の一つとして、過去に購買者が購入した価格帯に着目して関連商品等を提示する従来型のレコメンド装置が提案されている（特許文献１）。
【０００３】
しかし、インターネットを通じた電子商取引では異なるインターネットショップ間の商品やサービス毎の提供価格を互いに比較することが容易であることから、価格面の優位性も競業他社の追随により簡単に解消されてしまうことになる。これにより価格面における競業他社に対する優位性を常時維持することは非常に困難となっている。
この結果、購買者からすればインターネットショップが提供する商品等の価格はどれも大差なく見えることから、インターネットショップの競業他社に対する優位性を購買者に理解してもらうことは容易ではない。
【０００４】
この一方、購買者毎に対してきめ細かいサービスを提供することにより競業他社に対して優位性を保つことも考えられる。しかしこの場合にはインターネットショップを維持するサーバシステムが大掛かりになることからインターネットショップ構築の初期費用や維持費用が膨大になる可能性がある。この反面、その様な大がかりなサーバシステムを構築したとしても実際にインターネットショップを運営してみなければ投資に見合う利益が得られるかどうかが不透明である等の問題が依然として残る。
【先行技術文献】
【特許文献】
【０００５】
【特許文献１】特許第４５３６１４６号公報
【発明の概要】
【発明が解決しようとする課題】
【０００６】
本発明が解決しようとする課題は、購買者毎にきめ細かいサービスを提供でき、既存のインターネットショップに容易に適用することができ、顧客満足度の高いインターネットショップ用のシステムを提供することにある。
【課題を解決するための手段】
【０００７】
上記課題を解決するため本発明者らが鋭意検討した結果、おまけ情報記憶部、おまけ選択基準情報記憶部、おまけ要求受信部、商品等情報受信部、購買者属性情報受信部、購買者購買履歴情報受信部、おまけ情報取得部、およびおまけ情報送信部を有するおまけ機能付加サーバを備えたおまけ機能付加システムが本発明の目的に適うことを見出し、本発明を完成するに至った。
【０００８】
すなわち本発明は、
［１］おまけ機能付加サーバと、購買者が操作する購買者端末と、インターネットショップ用サーバとがネットワークを通じて接続されたおまけ機能付加システムであって、
前記おまけ機能付加サーバが、
前記購買者が購入する商品やサービス（商品等）に付随して提供されるおまけの情報を記憶するためのおまけ情報記憶部と、
前記購買者が購入する商品等に付随して提供されるおまけが、前記商品等に対して適正であるかどうかを選択するための基準に関する情報を記憶するためのおまけ選択基準情報記憶部と、
前記インターネットショップ用サーバから送信されたおまけ要求を受信するためのおまけ要求受信部と、
前記インターネットショップ用サーバから送信された商品等情報を受信するための商品等情報受信部と、
前記インターネットショップ用サーバから送信された購買者属性情報を受信するための購買者属性情報受信部と、
前記インターネットショップ用サーバから送信された前記購買者購買履歴情報を受信するための購買者購買履歴情報受信部と、
前記おまけ要求受信部に受信されたおまけ要求、商品等情報受信部に受信された商品等情報、購買者属性情報受信部に受信された購買者属性情報および前記購買者購買履歴情報受信部に受信された購買者購買履歴情報に基づいておまけ情報を取得するためのおまけ情報取得部と、
前記おまけ情報取得部が取得したおまけ情報をインターネットショップ用サーバに送信するためのおまけ情報送信部と、
を備え、
購買者が操作する購買者端末が、
前記購買者からの入力を受け付けるための入力受付部と、
前記入力受付部が受け付けた入力に基づいて商品やサービスの情報である商品等情報を取得する要求である商品等情報取得要求をインターネットショップ用サーバに送信するための商品等情報取得要求送信部と、
前記インターネットショップ用サーバから商品等情報を受信するための商品等情報受信部と、
前記インターネットショップ用サーバからおまけ情報を受信するためのおまけ情報受信部と、
前記購買者により特定された商品等の要求をインターネットショップ用サーバに送信するための商品等要求送信部と、
前記商品等の要求に伴い決定されたおまけの要求をインターネットショップ用サーバに送信するためのおまけ要求送信部と、
前記購買者が購入した商品等および商品等に付随するおまけの情報を表示するための情報出力部と、
を備え、
前記インターネットショップ用サーバが、
前記購買者の属性である購買者属性情報、購買者の過去の購買履歴についての購買者購買履歴情報、商品等情報および前記おまけ機能付加サーバから得られたおまけ情報を記憶するための情報記憶部と、
前記購買者が操作する購買者端末から送信された商品等情報取得要求を受信するための商品等情報取得要求受信部と、
前記購買者端末からの商品等情報取得要求に応じて前記情報記憶部から購買者に応じた商品等情報、購買者属性情報および購買者購買履歴情報を取得するための商品等情報取得部と、
前記商品等情報を前記おまけ機能付加サーバに対して送信するための商品等情報送信部と、
前記購買者属性情報を前記おまけ機能付加サーバに対して送信するための購買者属性情報送信部と、
前記購買者購買履歴情報を前記おまけ機能付加サーバに対して送信するための購買者購買履歴情報送信部と、
前記おまけ要求を前記おまけ機能付加サーバに対して送信するためのおまけ要求送信部と、
前記おまけ機能付加サーバからのおまけ情報を受信するためのおまけ情報受信部と、
前記商品等情報を購買者端末に送信するための商品等情報送信部と、
前記おまけ情報を購買者端末に送信するためのおまけ情報送信部と、
前記商品等情報およびおまけ情報を出力するためのインターネットショップ情報出力部と、
を備えることを特徴とする、おまけ機能付加システムを提供するものである。
【０００９】
また本発明の一つは、
［２］購買者が操作する購買者端末が、インターネットショップ用サーバに対してインターネットショッピング用のＷｅｂページを要求するステップと、
前記インターネットショップ用サーバが、前記購買者端末からの要求を受信し、要求に対応するインターネットショッピング用のＷｅｂページを前記購買者端末に送信するステップと、
前記購買者端末が、インターネットショップ用サーバからインターネットショッピング用のＷｅｂページを受信して、前記購買者端末に実装されている表示装置を通じて要求に対応するインターネットショッピング用のＷｅｂページを表示するステップと、
前記購買者端末が、インターネットショッピング用のＷｅｂページに表示された複数の商品等から実際に購入する商品等の識別番号をインターネットショップ用サーバに送信するステップと、
前記インターネットショップ用サーバが、前記購買者端末からの商品等の識別番号を受信するステップと、
前記インターネットショップ用サーバが、おまけ機能付加サーバに対して、おまけ要求、商品等の識別番号により特定される商品等情報、購買者属性情報、購買者購買履歴情報および購買者識別番号を送信するステップと、
前記おまけ機能付加サーバが、前記インターネットショップ用サーバからのおまけ要求、商品等情報、購買者属性情報、購買者購買履歴情報および購買者識別番号を受信するステップと、
前記おまけ機能付加サーバが、受信した商品等情報、購買者属性情報、購買者購買履歴情報および購買者識別番号から、商品等に付随して提供するおまけ情報を取得するステップと、
前記おまけ機能付加サーバが、取得したおまけ情報をインターネットショップ用サーバに送信するステップと、
前記インターネットショップ用サーバが、取得したおまけ情報を前記購買者端末に送信するステップと、
前記購買者端末が、インターネットショップ用サーバからおまけ情報および商品等情報を受信するステップと、
前記購買者端末が、おまけ情報および商品等情報を前記購買者端末に実装された表示装置に表示するステップと、
を含むことを特徴とする、上記［１］に記載のおまけ機能付加システムに使用されるおまけ機能付加方法を提供するものである。
【００１０】
また本発明の一つは、
［３］前記おまけ機能付加サーバが受信した商品等情報、購買者属性情報、購買者購買履歴情報および購買者識別番号から、商品等に付随して提供するおまけ情報を取得するステップが、
前記おまけ機能付加サーバがインターネットショップ用サーバから受信した商品等情報に基づいて、前記商品等情報に対応する第一のおまけ情報を取得するステップと、
前記第一のおまけ情報から競合情報により商品等と組み合わせることが否定されるおまけを除外するステップと、
前記第一のおまけ情報から購買者属性に適合しないおまけを除外するステップと、
前記第一のおまけ情報から購買者購買履歴情報に適合しないおまけを除外するステップと、
前記第一のおまけ情報からおまけ用割引額を超えるおまけを除外するステップと、
前記第一のおまけ情報から在庫がないおまけを除外するステップと、
を含む、上記［２］に記載のおまけ機能付加方法を提供するものである。
【００１１】
［４］また本発明の一つは、
購買者が購入する商品やサービスに付随して提供されるおまけの情報を記憶するためのおまけ情報記憶部と、
前記購買者が購入する商品やサービスに付随して提供されるおまけが、前記商品やサービスに対して適正であるかどうかを選択するための基準に関する情報を記憶するためのおまけ選択基準情報記憶部と、
インターネットショップ用サーバから送信されたおまけ要求を受信するためのおまけ要求受信部と、
前記インターネットショップ用サーバから送信された商品等情報を受信するための商品等情報受信部と、
前記インターネットショップ用サーバから送信された購買者属性情報を受信するための購買者属性情報受信部と、
前記インターネットショップ用サーバから送信された前記購買者購買履歴情報を受信するための購買者購買履歴情報受信部と、
前記おまけ要求受信部に受信されたおまけ要求、商品等情報受信部に受信された商品等情報、購買者属性情報受信部に受信された購買者属性情報および前記購買者購買履歴情報受信部に受信された購買者購買履歴情報に基づいておまけ情報を取得するためのおまけ情報取得部と、
前記おまけ情報取得部が取得したおまけ情報をインターネットショップ用サーバに送信するためのおまけ情報送信部と、
を備えた、上記［１］に記載のおまけ機能付加システムに使用される、おまけ機能付加装置を提供するものである。
【００１２】
［５］また本発明の一つは、
上記［２］または［３］に記載のおまけ機能付加方法に使用される、上記［４］に記載のおまけ機能付加装置を提供するものである。
【発明の効果】
【００１３】
本発明に係るおまけ機能付加システムは、インターネットショップに容易におまけ機能を付加することが可能となる。特に本発明のおまけ機能付加システムは、電子商取引における購買者の属性、過去の購買履歴、商品等の数量、価格に基づき購買者毎にきめ細かなおまけを提供することが可能である。
【００１４】
また本発明に係るおまけ機能付加システムは、従来のインターネットショップのハードウエアの内部に実現することもできる。このため従来のインターネットショップのサーバ環境を利用しつつ、おまけ機能を付加することができることから汎用性に優れる。
【００１５】
また発明に係るおまけ機能付加システムは、複数のインターネットショップ用サーバと通信し情報を共有することが可能であるため、一つのインターネットショップに人気のあるおまけを他のインターネットショップに展開すること等により、各インターネットショップの顧客満足度を向上させることができる。
【００１６】
また発明に係るおまけ機能付加システムは、おまけ情報を記憶していることから、新たに運営を始めたインターネットショップでも本発明に係るおまけ機能付加システムに接続することにより過去の他のインターネットショップのおまけ情報を共有することが可能となる。このためインターネットショップ開設後に独自に購買者情報を取得する必要がなく、インターネットショップ開設直後からインターネットショップにより提供する商品等毎におまけを提供することが可能となる。
【図面の簡単な説明】
【００１７】
【図１】実施例１に係るおまけ機能付加システム１０の構成を説明するためのブロック図である。
【図２】実施例１に係るおまけ機能付加システム１０により実施されるおまけ提供処理の手順を説明するためのフローチャートである。
【図３】実施例１に係るおまけ機能付加システム１０により実施されるおまけ提供処理の手順を説明するためのフローチャートである。
【図４】おまけ機能付加サーバ１００がおまけ情報を取得する処理手順を説明するためのフローチャートである。
【図５】キャンペーン付加処理の手順を説明するためのフローチャートである。
【発明を実施するための形態】
【００１８】
以下に図面を参照しつつ、実施例により本発明を詳細に説明する。なお以下の実施例は本発明の一つの実施形態を示したものであり、本発明は以下の実施例により何ら限定されるものではない。
【実施例１】
【００１９】
図１は実施例１に係るおまけ機能付加システム１０の構成を説明するためのブロック図である。前記おまけ機能付加システム１０は、おまけ機能付加サーバ１００と、購買者が操作する購買者端末２００と、インターネットショップ用サーバ３００とを、ネットワーク１を通じて接続したものである。
【００２０】
前記おまけ機能付加サーバ１００、購買者が操作する購買者端末２００およびインターネットショップ用サーバ３００はインターネットや携帯電話等の通信ネットワーク１を通じて互いに通信することができる。
【００２１】
本発明においては前記購買者が操作する購買者端末２００は一台に限定されず、購買者が操作する購買者端末２００は二台以上を使用することが可能である。複数の購買者が操作する購買者端末２００はそれぞれ購買者端末２００およびインターネットショップ用サーバ３００と通信することができる。
【００２２】
前記おまけ機能付加サーバ１００は、購買者が購買した商品や購買者が提供を受けるサービスの情報等に応じて、購買者に対し前記商品やサービスに付随して提供するおまけ情報を提供するサーバである。
また前記購買者が操作する購買者端末２００は、インターネットショップを通じて商品を購買したりサービスの提供を受けたりする購買者が使用する情報処理装置であり、前記インターネットショップ用サーバ３００からの情報や前記おまけ機能付加サーバ１００からの情報を表示するための表示装置が実装されている。
また前記インターネットショップ用サーバ３００は、前記購買者に対して商品やサービスを提供する電子商取引用のサーバである。
【００２３】
本発明における電子商取引に伴うおまけの付加に関する処理の流れの概略は次の通りである。
購買者が操作する購買者端末２００は、前記購買者が操作する購買者端末２００の前記表示装置を通じて入力された情報に応じた要求をインターネットショップ用サーバ３００またはおまけ機能付加サーバ１００に送信する。
【００２４】
前記インターネットショップ用サーバ３００またはおまけ機能付加サーバ１００は、ネットワーク１を通じて要求を受信し、アプリケーションを用いて前記要求に応じた処理を行う。得られた処理結果は前記購買者が操作する購買者端末２００にネットワーク１を通じて送信される。前記購買者が操作する購買者端末２００は前記処理結果を受信し、その処理結果が前記購買者が操作する購買者端末２００の表示装置に表示される。
【００２５】
次におまけ機能付加システム１０を構成するおまけ機能付加サーバ１００、購買者が操作する購買者端末２００およびインターネットショップ用サーバ３００についてそれぞれの構成と機能について順次説明する。
【００２６】
前記おまけ機能付加サーバ１００は、おまけ情報記憶部１０１、おまけ選択基準情報記憶部１０２、おまけ要求受信部１０３、商品等情報受信部１０４、購買者属性情報受信部１０５、購買者購買履歴情報受信部１０６、おまけ情報取得部１０７、おまけ情報送信部１０８を備えている。
【００２７】
前記購買者が操作する購買者端末２００は、入力受付部２０１、商品等情報取得要求送信部２０２、商品等情報受信部２０３、おまけ情報受信部２０４、商品等要求送信部２０５、おまけ要求送信部２０６、情報出力部２０７を備えている。
【００２８】
前記インターネットショップ用サーバ３００は、情報記憶部３０１、商品等情報取得要求受信部３０２、商品等情報取得部３０３、商品等情報送信部３０４、購買者属性情報送信部３０５、購買者購買履歴情報送信部３０６  おまけ要求送信部３０７、おまけ情報受信部３０８、おまけ情報送信部３０９、インターネットショップ情報出力部３１０を備えている。
【００２９】
まずおまけ機能付加サーバ１００について説明する。
前記おまけ情報記憶部１０１は、インターネットショップを通じて商品を購買したりサービスの提供を受けたりする購買者に対して前記商品やサービスに付随して提供するおまけ情報を記憶する。前記おまけは通常は商品であるが、商品の他にサービスの提供を受けるための引換券等であってもよい。前記引換券等の具体的としては例えば、映画鑑賞券、コンサート会場入場チケット、宿泊施設用宿泊券、スポーツ競技施設入場券、娯楽遊戯施設入場券等が挙げられる。
【００３０】
前記おまけ情報としては、例えば、おまけを唯一に特定するためのおまけ識別番号、おまけの名称、おまけの属する商品・サービスカテゴリー、おまけの属性情報、おまけの在庫数量、おまけの提供期間等が挙げられる。ここで前記おまけの属性情報としては、例えば、おまけの製造者名、おまけの配布者名、おまけの産地、おまけの販売地、おまけの品質、おまけの原材料、おまけの効能、おまけの用途、おまけの形状、おまけの価格、おまけの使用方法、おまけの使用時期（例えば夏専用か冬専用か等）等の情報が挙げられる。
【００３１】
前記おまけ選択基準情報記憶部１０２は、購買者が購入した商品や提供を受けるサービスに付随して提供するおまけが、商品やサービスに対して適正であるかどうかを選択するための基準に関する情報を記憶する。また前記おまけ選択基準情報記憶部１０２は商品等情報、購買者属性情報、購買者購買履歴情報等も記憶する。
【００３２】
具体的には商品等情報、購買者属性情報、購買者購買履歴情報等にそれぞれ対応した文字、記号、数列等の識別情報に対し、前記おまけ情報の中のおまけの属する商品・サービスカテゴリーやおまけの属性情報等に対応した文字、記号、数列等の識別情報が合致するかどうかを判別するための基準とそれぞれの識別情報が記憶されている。
【００３３】
ここで商品等情報としては、インターネットショップにおいて扱う商品やサービスを唯一に特定するための商品・サービス識別番号、商品・サービスの名称、商品・サービスのカテゴリー、商品・サービスの属性情報、商品・サービスの在庫（提供）数量、商品・サービスの提供期間等が挙げられる。前記商品・サービスの属性情報としては、例えば、商品の製造者名、商品の配布者名、商品の産地、商品の販売地、商品の品質、商品の原材料、商品の効能、商品の用途、商品の形状、商品の価格、商品の使用方法、商品の使用時期（例えば夏専用か冬専用か等）、サービスの提供者、サービスの提供の場所、サービスの質、サービスの提供の用に供する物、サービスの効能、サービスの用途、サービスの数量、サービスの態様、サービスの価格、サービスの提供の方法、サービスの提供の時期（例えば夏専用か冬専用か等）が挙げられる。
【００３４】
また前記購買者属性情報としては、購買者の性別、年齢、購入地、嗜好傾向（例えば流行品を好むのか、高級品を好むのか等の購買傾向）等の情報が挙げられる。
また購買者購買履歴情報としては、購買者が過去にインターネットショップで購入した商品・サービスの名称、商品・サービスのカテゴリー、商品・サービスの属性情報、商品・サービスの数量、購入金額、購入時期等の情報が挙げられる。
【００３５】
前記おまけ要求受信部１０３は、購買者が操作する購買者端末２００から送信されたおまけ要求送信や、インターネットショップ用サーバ３００から送信されたおまけ要求送信の要求を受信する。
【００３６】
また商品等情報受信部１０４は、購買者が操作する購買者端末２００から送信された商品等情報や、インターネットショップ用サーバ３００から送信された商品等情報を受信する。なお商品等情報の意味は先に説明した場合と同じであり、以下も同様である。
【００３７】
また購買者属性情報受信部１０５は、購買者が操作する購買者端末２００から送信された購買者属性情報や、インターネットショップ用サーバ３００から送信された購買者属性情報を受信する。なお購買者属性情報の意味は先に説明した場合と同じであり、以下も同様である。
【００３８】
前記購買者購買履歴情報受信部１０６は、インターネットショップ用サーバ３００から送信された前記購買者購買履歴情報を受信する。
なお前記購買者購買履歴情報の意味は先に説明した場合と同じであり、以下も同様である。
【００３９】
前記おまけ情報取得部１０７は、前記おまけ要求受信部１０３に受信されたおまけ要求と、商品等情報受信部１０４に受信された商品等情報と、購買者属性情報受信部１０５に受信された購買者属性情報と、前記購買者購買履歴情報受信部１０６に受信された購買者購買履歴情報に基づいておまけ情報を取得する。
【００４０】
例えば商品等情報に含まれる商品・サービスの名称、カテゴリー、価格、数量、属性情報等に基づいておまけ情報が取得される。具体的には購買者がインターネットショップにて、例えば化粧品を購入した場合には、おまけのうち化粧品に関連するカテゴリーの中から特定のおまけ情報が取得される。この場合のおまけ情報の一例としては化粧品を拭い去るためのリムーバや洗願用石鹸等が挙げられる。
【００４１】
またおまけ情報の中にはおまけの在庫や提供期限の情報が含まれているため、在庫があるおまけ情報や提供期限内のおまけ情報を取得することができる。これにより在庫がないおまけ情報や提供期限を過ぎたおまけ情報が購買者に提示されることを防止することができる。
【００４２】
また例えば購買者の性別等の購買者属性情報に基づいておまけ情報が取得される。具体的には購買者が女性でありインターネットショップで化粧品を購入した場合には、おまけのうち化粧品に関連するカテゴリーの中から例えば女性用の化粧品のおまけ情報が取得される。
【００４３】
また例えば購買者購買履歴情報に基づいてもおまけ情報が取得される。購買者がインターネットショップで繰り返し商品を購入している場合や、以前購入した商品よりも高額な商品を購入した場合には、おまけの中から例えば高額なおまけ情報が取得される。
【００４４】
またおまけ情報を取得する際には、インターネットショップにて購買者が購入した商品・サービスに対して提示するおまけが適切となる様に前記おまけ選択基準情報記憶部１０２に記憶されたおまけ選択基準情報を使用しておまけ情報の中から不適切なおまけを排除する。
【００４５】
具体的には例えば女性の購買者に対して男性用のおまけを提示したり、若者に老齢者向けのおまけを提示したり、夏に冬用のおまけを提示したり、互いに競合関係にある一方のメーカーの商品に対して他方のメーカーの商品をおまけとして提示したりする等の不整合が排除される。
【００４６】
前記おまけ情報取得部１０７は通常、ＣＰＵやメモリ等により実現することができる。前記おまけ情報取得部１０７がおまけ情報を取得するための処理手順は、通常、ＲＯＭ等の記録媒体に記録されたソフトウェアにより実現される。おまけ情報を取得するための処理手順は専用回路によるハードウェアにより実現することも可能である。
【００４７】
前記おまけ情報送信部１０８は、前記おまけ情報取得部１０７が取得したおまけ情報を前記インターネットショップ用サーバ３００または前記インターネットショップ用サーバ３００および前記購買者が操作する購買者端末２００に送信する。前記おまけ情報送信部１０８からのおまけ情報の送信は、通常、無線または有線の通信手段により実現される。
【００４８】
次に購買者が操作する購買者端末２００について説明する。
前記入力受付部２０１は、購買者からの入力を受け付ける。ここでいう入力とは、例えばインターネットショップ用サーバ３００の所定の情報にアクセスするためのＵＲＬの入力、携帯電話の操作ボタンによる入力、マウスによる表示ボタンのクリック、液晶パネルにペンや指等で触れることによる入力、テンキーによる入力、キーボードによる入力等が挙げられる。前記入力受付部２０１は、携帯電話の操作ボタン、ペン、マウス、テンキー、キーボード等の入力手段のデバイスドライバやメニュー画面の制御ソフトウェアにより実現される。
【００４９】
前記商品等情報取得要求送信部２０２は、前記入力受付部２０１が受け付けた入力に基づいて、商品やサービスの情報である商品等情報を取得する要求である商品等情報取得要求をインターネットショップ用サーバ３００に送信する。商品等情報受信部２０３はインターネットショップ用サーバ３００から商品等情報を受信する。また商品等情報と共におまけ機能付加サーバ１００から送信されたおまけ情報をおまけ情報受信部２０４が受信する。
【００５０】
インターネットショップ用サーバ３００に対し、購買者により特定された商品等の要求が商品等要求送信部２０５から送信される。また商品等の要求に伴い決定されたおまけの要求がおまけ要求送信部２０６からインターネットショップ用サーバ３００に対して送信される。
【００５１】
購買者により特定された商品等の要求とおまけの要求は購買者端末２００に備えられた情報出力部２０７に送信される。購買者が購入した商品等および商品等に付随するおまけの情報は前記情報出力部２０７により表示される。商品等および商品等に付随するおまけの情報は、前記情報出力部２０７に接続された液晶表示画面等の表示手段により表示される他、外部に接続したプリンター等により出力することも可能である。
商品等情報やおまけ情報等の送受信には、通常、無線または有線の通信手段により実現される。
【００５２】
次にインターネットショップ用サーバ３００について説明する。
前記情報記憶部３０１は、インターネットショップを通じて商品を購買したりサービスの提供を受けたりする購買者の属性である購買者属性情報、購買者の過去の購買履歴についての購買者購買履歴情報、インターネットショップを通じて購買者に提供される商品等情報、また前記おまけ機能付加サーバ１００から得られたおまけ情報について記憶する。
【００５３】
前記購買者属性情報は、購買者の初回購入時等に購買者がインターネットショップ用サーバ３００にアクセスするために付与される購買者識別番号およびパスワード等の付与と交換に取得され、商品等情報取得要求の一部としてインターネットショップ用サーバ３００に送信された情報が受信されて記憶される。
【００５４】
前記商品等情報取得要求受信部３０２は、購買者が操作する購買者端末２００から送信された商品等情報取得要求を受信する。
前記商品等情報取得部３０３は、購買者からの商品等情報取得要求に応じて前記情報記憶部３０１から購買者に応じた商品等情報、購買者属性情報、購買者購買履歴情報を取得する。
【００５５】
前記商品等情報取得部３０３は通常、ＣＰＵやメモリ等により実現することができる。  前記商品等情報取得部３０３が商品等情報、購買者属性情報、購買者購買履歴情報を取得するための処理手順は、通常、ＲＯＭ等の記録媒体に記録されたソフトウェアにより実現される。これらの情報を取得するための処理手順は専用回路によるハードウェアにより実現することも可能である。
【００５６】
商品等情報送信部３０４、購買者属性情報送信部３０５、購買者購買履歴情報送信部３０６およびおまけ要求送信部３０７は、それぞれ商品等情報、購買者属性情報、購買者購買履歴情報およびおまけ要求を、前記おまけ機能付加サーバ１００に対して送信する。
またおまけ情報受信部３０８は、前記おまけ機能付加サーバ１００からのおまけ情報を受信する。
【００５７】
商品等情報やおまけ情報はそれぞれ商品等情報送信部３０９およびおまけ情報送信部３１０から購買者端末２００に送信されると共に、インターネットショップ情報出力部３１０に送信される。
【００５８】
商品等および商品等に付随するおまけの情報は、前記インターネットショップ情報出力部３１１に接続された液晶表示画面等の表示手段により表示される他、外部に接続したプリンター等により出力したり、外部の配送会社に供えられたサーバに出力したりことも可能である。
商品等情報やおまけ情報等の送受信には、通常、無線または有線の通信手段により実現される。
【００５９】
次に実施例１に係るおまけ機能付加システム１０によるおまけ提供処理について説明する。
図２および図３は実施例１に係るおまけ機能付加システム１０により実施されるおまけ提供処理の手順を説明するためのフローチャートである。
なお図２のフローチャートにおけるａ，ｂ，ｃの各参照符号は、図３のフローチャートのａ，ｂ，ｃの各参照符号にそれぞれ対応するものであり、図３のフローチャートは図２のフローチャートの続きとなっている。
【００６０】
購買者が操作する購買者端末２００は、インターネットショップ用サーバ３００に対してインターネットショップ用サーバ３００を特定するＵＲＬ（Uniform Resource Locator）に基づいて、商品等の情報を取得するためインターネットショッピング用のＷｅｂページを要求する（ステップＳ４０１）。
【００６１】
インターネットショップ用サーバ３００は、前記購買者端末２００からの商品等情報取得要求を受信すると、情報記憶部３０１から商品等情報取得部３０３を通じて商品等の情報を取得し、この要求に対応する商品等の情報を含むインターネットショッピング用のＷｅｂページを商品等情報送信部３０４を通じて前記購買者端末２００に送信する（ステップＳ４０２）。
【００６２】
前記購買者端末２００は、インターネットショップ用サーバ３００から商品等情報受信部２０３により商品等の情報を含むインターネットショッピング用のＷｅｂページを受信して、前記購買者端末２００に実装されているブラウザ等を通じて要求に対応する商品等の情報を含むインターネットショッピング用のＷｅｂページを表示する（ステップＳ４０３）。
【００６３】
インターネットショッピング用のＷｅｂページを表示するステップは、ＨＴＭＬファイル、ＸＭＬファイル、ＰＨＰファイル等のＷｅｂ用プログラミング言語により記述されたプログラムにより実現される。
これらのプログラムにより文字情報、画像情報、音声情報、動画情報等をインターネットショッピング用のＷｅｂページに表示することができる。
【００６４】
前記購買者端末２００は商品等の情報を含むインターネットショッピング用のＷｅｂページに表示された複数の商品等から実際に購入する商品等の識別番号を商品等要求としてインターネットショップ用サーバ３００に送信する。またインターネットショップ用サーバ３００に対して初回商品等購入時にインターネットショップ用サーバ３００に保存しておいた購買者識別番号とパスワードを送信する（ステップＳ４０４）。
【００６５】
前記インターネットショップ用サーバ３００は前記購買者端末２００から商品等の識別番号ならびに購買者識別番号とパスワードを受信する（ステップＳ４０５）。
前記インターネットショップ用サーバ３００は、受信した購買者識別番号とパスワードを情報記憶部３０１に格納されている購買者識別番号とパスワードに対して照合し、両者が合致している場合には、おまけ機能付加サーバ１００に対して、おまけ要求、商品等の識別番号により特定される商品等情報、購買者属性情報、購買者購買履歴情報および購買者識別番号を送信する（ステップＳ４０６）。
【００６６】
これとは逆に、受信した購買者識別番号とパスワードを情報記憶部に格納されている購買者識別番号とパスワードに対して照合し、両者が合致しない場合には、前記購買者端末２００に対して再度の購買者識別番号とパスワードの送信を促す要求を送信する。この再度の購買者識別番号とパスワードの送信を促す要求を受信した前記購買者端末２００はステップＳ４０４に戻り、以下同様の処理を繰り返す。
【００６７】
おまけ機能付加サーバ１００は、前記インターネットショップ用サーバ３００からのおまけ要求と共に、商品等情報、購買者属性情報、購買者購買履歴情報および購買者識別番号を受信する（ステップＳ４０７）。
【００６８】
おまけ機能付加サーバ１００は受信した商品等情報、購買者属性情報、購買者購買履歴情報および購買者識別番号から、商品等に付随して提供するおまけ情報を取得する（ステップＳ４０８）。
【００６９】
おまけ機能付加サーバ１００は取得したおまけ情報をインターネットショップ用サーバ３００に送信する（ステップＳ４０９）。
【００７０】
インターネットショップ用サーバ３００は取得したおまけ情報を前記購買者端末２００に送信する（ステップＳ４１０）。
【００７１】
前記購買者端末２００はインターネットショップ用サーバ３００からおまけ情報を受信する。前記おまけ情報は識別番号により特定された商品等情報と共に前記購買者端末２００のブラウザに表示される（ステップＳ４１１）。
【００７２】
購買者による表示確認の後、購買者がおまけを承認する場合には前記購買者端末２００はインターネットショップ用サーバ３００に対して商品等とおまけの要求を送信する（Ｓ４１２）。
【００７３】
また購買者がおまけを承認しない場合には、再度購買者端末２００はステップＳ４０６に戻り、以下同様の処理を繰り返す。
【００７４】
インターネットショップ用サーバ３００は前記購買者端末２００からの商品等とおまけの要求を受信する（ステップＳ４１３）。購買者の初回購入時等に入手したクレジットカード情報等の購買者属性情報に基づいて代金決済処理を行う（ステップＳ４１４）。
【００７５】
次に、インターネットショップ情報出力部３１０に接続された液晶表示画面等の表示手段により表示された商品等および商品等に付随するおまけの情報が外部に接続したプリンター等により出力され、また外部の配送会社に供えられたサーバに出力され、実際の商品等がおまけと共に配送会社等を通じて購買者に提供される（ステップＳ４１５）。
【００７６】
次におまけ機能付加サーバ１００がおまけ情報を取得する処理手順（ステップＳ４０８）について詳細に説明する。
図４はおまけ機能付加サーバ１００がおまけ情報を取得する処理手順を説明するためのフローチャートである。
【００７７】
おまけ機能付加サーバ１００がインターネットショップ用サーバ３００から受信した商品等情報に基づいて、前記商品等情報に対応する第一のおまけ情報を取得する（ステップＳ５０１）。
【００７８】
おまけ機能付加サーバ１００のおまけ情報記憶部１０１に第一のおまけ情報が格納されている。
第一のおまけ情報としては、おまけ識別番号、おまけの名称、カテゴリー、価格、数量、属性情報、競合情報等が挙げられる。
【００７９】
前記属性情報としては、例えばおまけの提供量、提供期間、提供者情報等が含まれる。
おまけ機能付加サーバ１００がインターネットショップ用サーバ３００から受信した商品等情報には商品等の名称やカテゴリー等の情報が含まれていて、商品等の名称やカテゴリー等の情報に対応する第一のおまけ情報を取得することができる。
具体的には、例えば、清涼飲料を１ケース購入する場合には、飲料のカテゴリー、健康食品のカテゴリー、美容商品のカテゴリーからおまけ情報が取得される。
【００８０】
次に第一のおまけ情報から競合情報により、商品等と組み合わせることが否定されるおまけを除外する（ステップＳ５０２）。
おまけ機能付加サーバ１００のおまけ選択基準情報記憶部１０２には競合情報が格納されている。
【００８１】
前記競合情報とは、購買者が購入する商品等と組み合わせることが否定されるおまけに関する情報のことをいう。
具体的には例えば清涼飲料を提供する複数の競合会社が存在する場合、商品等を提供する業者とおまけを提供する業者とが互いに競合関係にある場合、
商品等の購入者が未成年者であり、おまけが酒、煙草等の様に購買者とおまけ商品が互いに競合関係にある場合、
商品等が風邪薬であり、おまけが酒等の様に同時服用が禁止されている等の理由により商品等とおまけが互いに競合関係にある場合、
購買者が若年層であり、おまけが介護施設体験入居サービス等の様に、購買者とおまけサービスとが互いに競合関係にある場合、
結婚式のサービスと葬式のサービスとの様に、商品等のサービスとおまけサービスとが互いに競合関係にある場合等が挙げられる。
【００８２】
これらの競合関係について、おまけ毎に、あらかじめ列挙された競合関係項目のうち、いずれの競合関係項目のグループに属するのかについての情報がおまけ選択基準情報としておまけ機能付加サーバ１００のおまけ選択基準情報記憶部１０２に格納されている。
おまけ機能付加サーバ１００のおまけ選択基準情報記憶部１０２には特定の商品等に対して特定のおまけの提供を除外するための商品等とおまけの組み合わせ基準情報も格納されている。
【００８３】
第一のおまけ情報から競合情報により商品等と組み合わせることが否定されるおまけを除外する処理手順の具体例としては、例えば、特定のプロ野球球団の応援グッズ等の商品に対して、おまけとして前記特定のプロ野球球団と競合する他のプロ野球球団のマスコット人形等の選択を除外したり、特定のビールメーカーのビールに対して、おまけとして前記特定のビールメーカーに競合するビールメーカーのビールの選択を除外したりする場合等が挙げられる。
【００８４】
前記おまけの競合関係項目のグループ情報が商品等情報に合致しないおまけが第一のおまけ情報から除外される。
【００８５】
次におまけ機能付加サーバ１００がインターネットショップ用サーバ３００から受信した購買者属性情報に基づいて、第一のおまけ情報から購買者属性に適合しないおまけを除外する（ステップＳ５０３）。
【００８６】
おまけ機能付加サーバ１００のおまけ選択基準情報記憶部１０２には特定の購買者に対して特定のおまけの提供を除外する情報が格納されている。第一のおまけ情報から競合情報により購買者と組み合わせることが否定されるおまけを除外する処理手順の具体例としては、具体的には、購買者が男性の場合に女性用のおまけの提供を除外したり、購買者が若年層の場合には老齢者向けのおまけの提供を除外したりする場合等が挙げられる。
前記おまけの競合関係項目のグループ情報が購買者属性情報に合致しないおまけが第一のおまけ情報から除外される。
【００８７】
次におまけ機能付加サーバ１００がインターネットショップ用サーバ３００から受信した購買者購買履歴情報に基づいて、第一のおまけ情報から購買者購買履歴情報に適合しないおまけを除外する（ステップＳ５０４）。
おまけ機能付加サーバ１００のおまけ選択基準情報記憶部１０２には購買者の過去の購入数、購入金額に対応するランク付けの情報が格納されている。商品等を数多く購入し、購入合計金額が多い購買者に対しては高いランク付けがなされる。また商品等の購入数が少なく、購入合計金額が少ない購買者に対しては低いランク付けがなされる。
【００８８】
第一のおまけ情報から購買者購買履歴情報により購買者と組み合わせることが否定されるおまけを除外する処理手順の具体例としては、具体的には、過去の購買合計額が一定値以上の購買者に対しては、低額のおまけを除外する等の場合が挙げられる。また逆に過去の購買合計額が一定値未満の購買者に対しては、高額のおまけを除外する等の場合が挙げられる。
【００８９】
前記おまけの競合関係項目のグループ情報が購買者購買履歴情報に合致しないおまけが第一のおまけ情報から除外される。
【００９０】
次に上記手順により残った第一のおまけ情報から、おまけ用割引額を超えるおまけを除外する（ステップＳ５０５）。
【００９１】
おまけ機能付加サーバ１００のおまけ選択基準情報記憶部１０２には商品等の種類、価格等に応じて許容されるおまけ用割引額情報が格納されている。上記手順により残った第一のおまけ情報のうち、許容されるおまけ用割引額を超えるおまけが除外される。
前記おまけの競合関係項目のグループ情報があらかじめ設定されたおまけ割引額に合致しないおまけが第一のおまけ情報から除外される。
【００９２】
次に上記手順により残った第一のおまけ情報から、在庫がないおまけを除外する（ステップＳ５０６）。
【００９３】
おまけ機能付加サーバ１００のおまけ情報記憶部１０１にはおまけの在庫情報が格納されている。上記手順により残った第一のおまけ情報のうち在庫のないおまけが除外される。
おまけの在庫情報はインターネットショップ用サーバ３００からのおまけ情報の送信により常時おまけ機能付加サーバ１００のおまけの在庫情報が更新されている。
以上の手順により最終的に第一のおまけ情報のうち残った情報がおまけ情報としておまけ機能付加サーバ１００に取得される。
【００９４】
図４に示したフローチャートは、商品等情報に対応する第一のおまけ情報を取得し、第一のおまけ情報から商品等と組み合わせることが否定されるおまけを競合情報により除外する処理手順を示すものであった。
これに対し、商品等と組み合わせることが必ずしも適切ではないとされるおまけをあえて商品等の提供に付随するおまけとして組み合わせることも可能である。
【００９５】
図５は例えば、図４に示されるステップＳ５０４〜ステップＳ５０６に挿入されるキャンペーン付加処理の手順を説明するためのフローチャートである。
【００９６】
例えば、おまけ機能付加サーバ１００がインターネットショップ用サーバ３００から受信した購買者購買履歴情報に基づいて、過去の購買総額や購買数量が一定値を越える購買者を特定する（優遇特定）。特定された購買者に対しては、あらかじめ設定されたおまけ用割引額の限度を超えて拡大された割引額が適用される優遇情報が与えられる（ステップＳ６０１）。前記優遇情報に基づき、特定の購買者に適用される拡大されたおまけ用割引額が適用された状態のままステップＳ５０５をスキップする。
【００９７】
このステップＳ６０１の処理により、特定購買者優遇キャンペーンを実施することができる。
【００９８】
次にインターネットショップ用サーバ３００から送信された商品等情報により特定された商品等が、おまけ機能付加サーバ１００のおまけ情報記憶部１０１に格納されたキャンペーン商品等に該当する場合には、おまけ情報記憶部１０１から競合するおまけ情報が取得される（ステップＳ６０２）。
【００９９】
具体的には、例えば、特定のビール等の商品が選択された場合には、おまけ情報として、前記ビール等の商品と競合するメーカーのビールがあえて取得される。
また例えば、特定のインスタント加工食品等の商品が選択された場合には、おまけ情報として、前記インスタント加工食品等の商品と競合するメーカーのインスタント加工食品があえて取得される。
【０１００】
このステップＳ６０２の処理により、商品とおまけとの間の飲み比べ、食べ比べ等のキャンペーンを実施することができる。
図５に示されるキャンペーン付加処理の処理を追加することにより、商品等に対して、時期、数量、種類、購買者属性情報、購買者購入履歴情報に基づいて、きめ細かいサービスの実現が可能となる。
【０１０１】
次に上記手順により第一のおまけ情報に適合するおまけが存在しない場合には、例えば、商品等の購買金額に対して一定割合の次回購入割引クーポンのコード番号等がおまけとしておまけ機能付加サーバ１００から発行される（ステップＳ５０７）。
【０１０２】
上記の処理手順は、通常、ＲＯＭ等の記録媒体に記録されたソフトウェアにより実現される。これらの情報を取得するための処理手順は専用回路によるハードウェアにより実現することも可能である。
【０１０３】
次に実施例１に係るおまけ機能付加サーバ１００のハードウエア構成について説明する。
おまけ機能付加サーバ１００は、ＲＯＭ等の記録媒体に記録されたソフトウェアを読み出し、専用回路によるハードウェアを制御するためのＣＰＵ等の制御装置、揮発性か不揮発性のメモリ装置、ハードディスクやＤＶＤドライブ装置等の外部記憶装置、ディスプレイ等の表示装置と、キーボード、マウス等の入力装置と、他の装置と通信を行う通信装置を有する。
【０１０４】
本発明に使用するおまけ機能付加サーバ１００は独立したサーバコンピュータ等を利用したハードウエア構成としたり、後述するインターネットショップ用サーバ３００と同じハードウエア構成と組み合わせて構成したりすることができる。このため既に存在するインターネットショップ用サーバに容易に組み込むことが可能である。
本実施例１では、おまけ機能付加サーバ１００がおまけ付加装置として動作する。またおまけ機能付加サーバ１００がおまけ情報を提供する方法を実行する。
【０１０５】
本発明に係るおまけ機能付加装置は一つのインターネットショップ用サーバだけではなく、複数のインターネットショップ用サーバと接続することができる。これにより複数のインターネットショップ用サーバに対してリアルタイムにおまけ情報を提供することができる。
【０１０６】
また本発明に係るおまけ機能付加装置は、購買者の属性、購買者の購入履歴等に応じて各購買者毎にきめ細かなおまけ提供が可能である。このため従来のインターネットショップが本発明に係るおまけ機能付加装置を採用することにより、購買者の顧客満足度を向上させることが可能となる。
【０１０７】
本発明は上記に説明した実施例１に限定されるものではなく、本発明の要旨を逸脱しない範囲で発明を特定するための事項を変形して具現化することができる。
【符号の説明】
【０１０８】
１        ネットワーク
１０      おまけ機能付加システム
１００    おまけ機能付加サーバ
１０１    ワイドレンズ
１０２    照明ランプ
１０３    おまけ要求受信部
１０４    商品等情報受信部
１０５    購買者属性情報受信部
１０６    購買者購買履歴情報受信部
１０７    おまけ情報取得部
１０８    おまけ情報送信部
２００    購買者端末
２０１    入力受付部
２０２    商品等情報取得要求送信部
２０３    商品等情報受信部
２０４    おまけ情報受信部
２０５    商品等要求送信部
２０６    おまけ要求送信部
２０７    情報出力部
３００    インターネットショップ用サーバ
３０１    情報記憶部
３０２    商品等情報取得要求受信部
３０３    商品等情報取得部
３０４    商品等情報送信部
３０５    購買者属性情報送信部
３０６    購買者購買履歴情報送信部
３０７    おまけ要求送信部
３０８    おまけ情報受信部
３０９    おまけ情報送信部
３１０    インターネットショップ情報出力部
【図１】
2012073807.tif 000003
【図２】
2012073807.tif 000004
【図３】
2012073807.tif 000005
【図４】
2012073807.tif 000006
【図５】
2012073807.tif 000007